(57)【特許請求の範囲】
【請求項１】
法面に苗木を植裁するに際し、その法面の苗木植裁位置にネット枠を固定した上で苗木のための基盤材を吹き付けながら施工する法面緑化工法であって、
前記基盤材に、苗木の根部を覆う厚さに吹き付ける苗木生育基盤材と、
その苗木生育基盤材の周囲に吹き付ける厚層基盤材とを用い、
それら苗木生育基盤材及び厚層基盤材の成分を異ならせ、
前記ネット枠は、前記苗木生育基盤材の厚さとほぼ同じ高さのネットを有し、そのネット自体を全体として半円弧状に湾曲させて設置してあり、そのネットの少なくとも両端を法面の地盤に固定したアンカーピンによって支持していることを特徴とする、法面緑化工法。
【請求項２】
前記ネットとアンカーピンとを一体に構成していることを特徴とする、請求項１に記載の法面緑化工法。
【請求項３】
前記法面に基盤材を吹き付けるための基礎工として、予め法面全体に網を敷設することを特徴とする、請求項１又は２に記載の法面緑化工法。
【請求項４】
前記苗木生育基盤材の吹き付け厚さが、前記厚層基盤材の厚さよりも厚いことを特徴とする、請求項１乃至３の何れかに記載の法面緑化工法。
【請求項５】
前記苗木生育基盤材が、砂、土、堆肥、緩効性肥料を含む配合であることを特徴とする、請求項１乃至４の何れかに記載の法面緑化工法。
【請求項６】
前記厚層基盤材は、有機質生育基盤材を主体とすることを特徴とする、請求項１乃至４の何れかに記載の法面緑化工法。
【発明の詳細な説明】
【０００１】
【発明の属する技術分野】
本発明は、苗木のための基盤材を法面に吹き付けて、自然に近い傾斜面緑化を確実に実現するための法面緑化工法に関する。
【０００２】
【従来の技術】
従来、法面を緑化する場合、水、土、肥料、種等を混合した基盤材を吹き付ける方法や、傾斜面地盤を凹状に堀り込んでそこへ苗木を植栽する方法等を基本として様々な提案がなされている。
【０００３】
上記例として、例えば図９に示すように、根部をネットｎで包んだポット苗木５をアンカーピン４によって傾斜面（法面）１に固定し、その周辺に基盤材（図示せず）を吹き付けて固定する方法（特公平５ー４８７号公報）がある。
【０００４】
また、他の例として、図１０に示すように、法面１の表面２に敷設した金網３をアンカーピン４で固定しておき、金網３を部分的に切断して上方へ折り曲げ、そこからポット苗木５の根部６を内側からくくらせるか、もしくは金網３の上部から挟持して、その周辺部に基盤材７を吹き付けることによって固定する方法（特開平６ー１７３２７０号公報）も存在する。
【０００５】
さらに、図１１に示すように、苗木１２の根鉢部１１を薄く根系３を密に育成し、地上部を途上より切断除去した、法面積載用ポット苗木１０を法面２０に載置し、根鉢部１１が隠れるまで植生基材３０で被覆する方法（特開平７ー１８９２６１号公報）も提案されている。
【０００６】
【発明が解決しようとする課題】
ところで、このような基盤材を傾斜面に吹き付け施工した場合、傾斜面の土壌環境に合わない種類の植物が成長しなかったり、違う種子同士が駆逐しあって単一種の植物だけによる植生となってしまうことがある。そして、この状況下で傾斜面の土壌の肥料が切れてしまった場合、単一種のみの植生だと一斉に傾斜面全体から植物が衰退することに繋がるので、長期的観測からすると理想的な植生とは言い難い。
【０００７】
また、上記例のように基盤材を用いるのに加えて、ポット苗木を植栽する方法では、樹木が傾斜面に根付いて植生が安定するまでの期間において樹木周辺の土壌中の栄養分を吸収する際に、周辺の草木や厚層基盤中の種子の栄養分を吸収してしまう可能性もある。そうなった場合には、樹木周辺の土壌の地肌が露出したりはげた状態になるので、緑化景観を図る上で確実性に問題がある。
【０００８】
また、金網やアンカーピンによってポット苗木を植栽し緑化を図る工法においては、樹木分の栄養分がポット苗木中の客土に確保されているので、周辺に種子を混入した厚層基盤材を吹き付けた場合や、周辺に草木が存在する場合でも、駆逐する影響を与える心配はない。しかし、傾斜面に金網製の植生棚を設置する際に、その材料を傾斜面の所定のポイントまで運搬したり、そこで金網を組み立てて棚自体を形成する作業が比較的手間のかかるものになってします問題がある。
【０００９】
また、こうした金網を使用する方法では、基盤材を吹き付ける際に完全にポット苗木の根部を覆いきれないこともあり、苗木の成長が確実でなくなる問題もある。さらに、アンカーピンを使用する方法においては、そのアンカーピンによりポット苗木の根系を傷つけたり、地盤に対する根の活着が安定したものとは言い難い問題もある。
【００１０】
このような理由から、植物の成長性に確実性があり、また自然に近い斜面緑化を実現し、しかも比較的手間のかからない緑化景観を実現する方法の開発が望まれていた。
【００１１】
本発明は、以上のような点を考慮してなされたもので、ネット枠を用いて吹き付け基盤材の必要な厚さを確保しつつ、苗木の根部を覆うように吹き付ける苗木育成基盤材と、その周辺に吹き付ける厚層基盤材の２種類の基盤材を用いる考え方を採用することによって、苗木の育成領域とその周囲の植物育成領域とを積極的に区分けして法面全体としての健全な緑化環境を形成すると共に、施工性の向上、経済性の向上、並びに耐候性の向上などを併せて図ることができる技術を提供することを目的とする。
【００１２】
前記課題を解決するため、本発明では、法面に苗木を植裁するに際し、その法面の苗木植裁位置にネット枠を固定した上で苗木のための基盤材を吹き付けながら施工する法面緑化工法であって、基盤材に、苗木の根部を覆う厚さに吹き付ける苗木生育基盤材と、その苗木生育基盤材の周囲に吹き付ける厚層基盤材とを用い、それら苗木生育基盤材及び厚層基盤材の成分を異ならせ、ネット枠は、苗木生育基盤材の厚さとほぼ同じ高さのネットを有し、そのネット自体を全体として半円弧状に湾曲させて設置してあり、そのネットの少なくとも両端を法面の地盤に固定したアンカーピンによって支持している工法を採用した。その場合、ネットとアンカーピンとを一体に構成することもできる。ここで、法面に基盤材を吹き付けるための基礎工として、予め法面全体に網を敷設するのが好適である。また、苗木生育基盤材の吹き付け厚さについては、厚層基盤材の厚さよりも厚く施工するのが望ましい。また、苗木生育基盤材としては、砂、土、堆肥、緩効性肥料を含む配合とするのが大変好適である。また、厚層基盤材は、有機質生育基盤材を主体とするのが好適である。
【００１３】
【発明の実施の形態】
以下、本発明の好適な実施の形態について、添付の図１〜図８を参照して説明する。
図１〜図６は、本発明の実施の形態１に係る法面緑化工法を示すもので、図１は法面への苗木植栽位置関係を示す平面図、図２は苗木を植栽した状態の断面図、図３はネット枠を固定した状態の断面図、図４はそのネット枠の平面図、図５はネット枠の正面図、図６はネット枠の斜視図をそれぞれ示している。
【００１４】
本実施の形態に係る法面緑化工法は、図１〜図３に示すように、法面１００に苗木１０１を植栽するに際し、その法面１００の苗木植栽位置にネット枠１１０を固定した上で、苗木１０１のための基盤材を吹き付けながら施工する。その場合、基盤材に、苗木１０１の根部１０２を覆う厚さに吹き付ける苗木生育基盤材１２０と、その苗木生育基盤材１２０の周囲に吹き付ける厚層基盤材１３０とを用い、それら苗木生育基盤材１２０及び厚層基盤材１３０の成分を異ならせておく考え方を採用している。
【００１５】
次いで、これらの詳細について説明する。
（１）  まず、法面１００に基盤材を吹き付けるための基礎工として、法面全体に金網１０３を敷設する。
【００１６】
（２）  次に、法面１００上でポット苗木を植生する箇所を定める。その場合、例えば図１に示すように、ポット苗木１０１が成長した後、隣接する区域同士で地盤中の養分を吸収する際に影響を与え合わない程度に間隔を開ける。
【００１７】
（３）  ポット苗木設置区域に、図３に示すネット１１１と複数のアンカーピン１１２とから成るネット枠１１０を設置する作業を行う。このネット枠１１０に関しては、その設置後においてポット苗木設置区域に苗木生育基盤材１２０を吹き付けることになるが、図４に示すようにその区域の法尻側半分を半円弧状に囲むような形態に湾曲させて設置する。
【００１８】
ネット１１１としては、例えばポリエチレンなどのプラチック製のもの、あるいは金属製のものなどを用いることができるが、何れにしてもプラスチックのように半円弧状を保持できるようなある程度弾力性のある素材で構成するのが好適である。
【００１９】
ネット枠１１０の設置にあたっては、まず、半円弧状に湾曲させたネット１１１の両端部に相当する位置の法面１００に対しアンカーピン１１２、１１２を垂直に打ち込み、さらに設置区域の最下端（半円弧状の中間に相当する位置）にもアンカーピン１１２を打ち込んでおく。その際、アンカーピン１１２を完全に打ち込んでしまうのではなく、頭部部分をネット１１１の高さに相当する分だけ余らせておくようにする。
【００２０】
そして、その余らせた部位の上から掛けるようにネット１１１を維持し、針金等でネット１１１をアンカーピン１１２に縛り付けて固定することで、半円弧状のネット枠１１０を形成する。勿論、このネット枠１１０に関しては、予めネット１１１とアンカーピンとを一体に構成したものを用いるようにすることもできる。
【００２１】
このネット枠１１０の高さについては、苗木生育基盤材１２０の吹き付け厚さを左右するので、苗木生育基盤材１２０を吹き付ける際に必要十分な厚みを保てる程度に設定しておく。必要十分な厚さとしては、苗木１０１の根部１０２の部分の乾燥を防止し、根の活着を良くする程度、例えば根部１０２の部分が苗木生育基盤材１２０で覆われる程度である。
（４）  次に、苗木１０１を法面１００に固着する作業を行う。この作業は苗木生育基盤材１２０を吹き付けることにより行うが、その際に、予め、ポット苗木の根より上の部分（枝葉等の部分）に対して、吹き付ける苗木生育基盤材１２０が掛からないようにナイロン袋等で覆っておくようにするのも大変好ましい。
【００２２】
そして、実際に苗木生育基盤材１２０を吹き付けて法面１００に固定する作業では、苗木１０１を所定の中央位置に置いて、苗木の根部１０２の部分が完全に覆い被さる程度に苗木生育基盤材１２０を吹き付けて完全に固定する。苗木１０１自体は通常の場合さほど大きくないので、吹付を行う作業員以外の手によって維持しながら苗木生育基盤材１２０を吹き付ければよい。
【００２３】
（５）  次に、苗木植生区域以外の法面（地盤）に厚層基盤材１３０を吹き付ける。その場合の厚さは、苗木生育基盤材ほど確保する必要はなく、混入した草木植物の種子に合わせて必要十分程度の薄さでよい。苗木植生区域との境目は余分に吹き付けてなだらかに被さるようにする。
【００２４】
ちなみに、苗木生育基盤材１２０の配合（ｍ3 当たり）については、表１のような成分配合とした。
【００２５】
【表１】
0003934761.tif 000002
【００２６】
また、厚層基盤材１３０の配合（ｍ3 当たり）としては、表２のような成分配合とした。
【００２７】
【表２】
0003934761.tif 000003
【００２８】
このような成分配合としたのは次のような理由に基づいている。即ち、苗木生育基盤材１２０の場合、苗木１０１の健全かつ効果的な生育を図れる成分、例えば砂、鹿沼土の他にバーク堆肥、緩効性肥料等を配合している。
【００２９】
他方、厚層基盤材１３０の場合、有機質生育基盤材を主体とし、緩効性肥料の他に草木植物等の種子を若干配合している。なお、何れの基盤材においても吹き付けと固定のために必要な接合剤を配合している。この厚層基盤材１３０に混入する種子としては、少なくとも苗木１０１の生育に悪影響を及ぼさない範囲の植物等の種子が好ましく、さらに好ましくは、相互に駆逐し合わない複数種の種子を混入するのが好適である。
【００３０】
図７は先の実施の形態で示したネット枠１１０の他の実施の形態を示す平面図であり、図８はそのネット枠１１０を用いた法面緑化工法を示す断面図である。
【００３１】
これらの図から理解できるように、本実施の形態では、ネット１１１をほぼ楕円形状に湾曲させ、その両端部分の二点でアンカーピン１１２を法面１００の地盤Ｇに打ち込んで固定したものである。このようにすると、上述の効果に加えて、アンカーピン１１２の数を少なくし、その分、施工性や経済性をさらに高めることができる。
【００３２】
【発明の効果】
本発明は、以上のような考え方を採用しているので、次のような種々の効果を奏することができる。
（１）  苗木生育基盤材の領域とその周囲の厚層基盤材の領域とを明確に区別することによって、苗木が法面に根付くまで確実に成長させることができ、しかもこのように樹木周辺部に区画を区切って生育力旺盛な草木植物の種子を基盤材に混合して吹き付けることで、短期間に緑化環境を形成し、時間が経過すればさらに自然環境に近い樹林景観を実現できることとなる。
（２）  基盤材の配合を双方の区域に適した配合に区別することで、植栽された樹木と厚層基盤材中に混入された草木植物とが駆逐し合うことがなく、成長後も長期間にわたって緑化環境を維持することができる。
（３）  本工法実現のために、取り立てて特段のポット苗木を育成することや、法面に苗木を維持するために特別な部材を製造する必要もなく、通常の苗木と身近に手に入る部材を流用することが可能なので、比較的容易に現場施工が可能となる。
（４）  ネット自体に弾力性があるために、苗木生育基盤材を厚く吹き付けても苗木の荷重等によって斜面から崩れ落ちる心配がなく、根付くまでの間に地震等が起こっても苗木周辺の荷重をネット枠が支えるので崩落する心配も無い。そして、苗木が生長した頃には根が完全に地盤に張り付き、さらに安定する。
（５）  苗木生育基盤材を厚く吹き付けておく効果として、苗木が地面に固着するまで周辺の草植物に吸収されぬように養分を確保しておくことができ、また風雨にさらされて若干の苗木生育基盤材がはげ落ちて根が表面に張り出し根枯れするような危険性も少ない。また、ポット苗木自体にアンカーを打ち込まなくて済むので、苗木を傷付ける心配もない。図２は、図３は、図４はその、図５は、図６はネット枠の斜視図
【図面の簡単な説明】
【図１】本発明の法面緑化工法に係る苗木植栽位置関係を示す平面図である。
【図２】本発明の法面緑化工法に係る苗木を植栽した状態の断面図である。
【図３】本発明の法面緑化工法に係るネット枠を固定した状態の断面図である。
【図４】本発明の法面緑化工法に係るネット枠の平面図ある。
【図５】本発明の法面緑化工法に係るネット枠の正面図である。
【図６】本発明の法面緑化工法に係るネット枠の斜視図である。
【図７】本発明の法面緑化工法に係るネット枠の他の実施の形態を示す正面図である。
【図８】本発明の他の実施の形態に係るネット枠を用いた法面緑化工法を示す断面図である。
【図９】従来の法面緑化工法を示す一部断面図である。
【図１０】従来の法面緑化工法を示す一部断面図である。
【図１１】従来の法面緑化工法を示す一部断面図である。
【符号の説明】
１  法面
２  表面
３  金網
４  アンカーピン
５  ポット苗木
６  根部
７  基盤材
１０  ポット苗木
１１  根鉢部
１２  苗木
１３  根系
２０  法面
３０  植生基盤材
Ｇ    地盤
１００  法面
１０１  ポット苗木（苗木）
１０２  根部
１１０  ネット枠
１１１  ネット
１１２  アンカーピン
１２０  苗木生育基盤材（基盤材）
１３０  厚層基盤材（基盤材）
【図１】
0003934761.tif 000004
【図２】
0003934761.tif 000005
【図３】
0003934761.tif 000006
【図４】
0003934761.tif 000007
【図５】
0003934761.tif 000008
【図６】
0003934761.tif 000009
【図７】
0003934761.tif 000010
【図８】
0003934761.tif 000011
【図９】
0003934761.tif 000012
【図１０】
0003934761.tif 000013
【図１１】
0003934761.tif 000014